(57)【要約】【課題】排泄物が漏れ出さない吸収性物品を提供する。【解決手段】身体に装着して排泄物を吸収して保持する吸収性物品が、液透過性のトップシート１１と液不透過性のバックシート１２と、その間に介在する上層吸収体（吸収体）１４と下層吸収体１５とを備え、上層吸収体１４の前身頃１６の略中央に、上層吸収体１４の長手方向Ａに沿って一対の溝を形成する切り込み（形状変化部）１７を設ける。【選択図】      図１
2004261331.tif 000002
【特許請求の範囲】
【請求項１】
液透過性のトップシートと液不透過性のバックシートと、その間に介在する吸収体を備え、身体に装着して排泄物を吸収して保持する吸収性物品において、
前記吸収体の前身頃の略中央に、前記吸収体の長手方向に沿って溝を形成する形状変化部を設けることを特徴とする、吸収性物品。
【請求項２】
前記形状変化部が直線からなることを特徴とする、請求項１に記載の吸収性物品。
【請求項３】
前記形状変化部がＵ字状の曲線からなることを特徴とする、請求項１に記載の吸収性物品。
【請求項４】
前記形状変化部が円状の閉じた曲線からなることを特徴とする、請求項１に記載の吸収性物品。
【請求項５】
前記形状変化部が切り込みであることを特徴とする、請求項１ないし４のいずれか１に記載の吸収性物品。
【請求項６】
前記形状変化部がエンボス加工により形成されることを特徴とする、請求項１ないし４のいずれか１に記載の吸収性物品。
【請求項７】
前記吸収体が、前記トップシート側に位置する上層吸収体と前記バックシート側に位置する下層吸収体とからなり、前記形状変化部を前記上層吸収体に設けることを特徴とする、請求項１ないし６のいずれか１に記載の吸収性物品。
【発明の詳細な説明】
【０００１】
【発明の属する技術分野】
この発明は、液透過性のトップシートと液不透過性のバックシートと、その間に介在する吸収体を備え、身体に装着して排泄物を吸収して保持する、紙おむつ、尿取りパッドなどの吸収性物品に関する。
【０００２】
【従来の技術】
この種の従来の吸収性物品は、例えば、図６に展開状態で示すように、液透過性のトップシート１と液不透過性のバックシート２と、その間に介在する吸収体３を備えてなる。また、バックシート２の前身頃ＦＲ、後身頃ＢＡには、弾性部材４がバックシート２の幅方向に伸張下で接合されている（例えば、特許文献１）。
【０００３】
そして、幅方向の側端ＳＥ１と側端ＳＥ２、側端ＳＥ３と側端ＳＥ４とをそれぞれ重ね合わせるようにして接合すると、胴回り開口部と一対の脚回り開口部を備えるパンツ型紙おむつとなり、弾性部材４が縮んで前身頃と後身頃が身体にフィットするように形成される。
この紙おむつを使用するときは、パンツ型の下着を装着するように、胴回り開口部より左右の足を紙おむつにそれぞれ挿入し、それぞれの足を左右の脚回り開口部から外部に出して、紙おむつで股間を覆うように装着する。
【０００４】
【特許文献１】
特許第２８３３７２０号公報
【０００５】
【発明が解決しようとする課題】
しかし、このような従来のパンツ型紙おむつを男性が使用すると、紙おむつを構成する吸収体３に一定の剛性があるため、図７に概略断面図で示すように、陰茎Ｐ周辺において、紙おむつが身体ＢＯに追随できずに隙間Ｓができ、尿などの排泄物がその隙間Ｓを伝ってウエスト開口部より、外部に漏れ出してしまうという問題があった。
そこで、この発明の目的は、排泄物が漏れ出さない吸収性物品を提供することにある。
【０００６】
【課題を解決するための手段】
このため、請求項１に記載の発明は、液透過性のトップシートと液不透過性のバックシートと、その間に介在する吸収体を備え、身体に装着して排泄物を吸収して保持する吸収性物品において、
前記吸収体の前身頃の略中央に、前記吸収体の長手方向に沿って溝を形成する形状変化部を設けることを特徴とする。
【０００７】
したがって、吸収性物品を男性が装着したとき、吸収体の前身頃の略中央の性器が当接する部分に形状変化部を設けることにより、吸収体の形状が男性性器の形状に追随して変化するので、男性性器周辺において吸収体が盛り上がり、身体から離れて隙間ができることがない。よって、排泄物が漏れ出さない吸収性物品を提供することができる。
【０００８】
請求項２に記載の発明は、請求項１に記載の吸収性物品において、前記形状変化部が直線からなることを特徴とする。
【０００９】
したがって、吸収性物品の製造時に、吸収体に形状変化部を容易に形成することができる。
【００１０】
請求項３に記載の発明は、請求項１に記載の吸収性物品において、前記形状変化部がＵ字状の曲線からなることを特徴とする。
【００１１】
したがって、吸収体がＵ字状に男性性器を覆うことができ、排泄物の漏れを一層防止することができる。
【００１２】
請求項４に記載の発明は、請求項１に記載の吸収性物品において、前記形状変化部が円状の閉じた曲線からなることを特徴とする。
【００１３】
したがって、吸収性物品の製造時に、吸収体に形状変化部を容易に形成することができる。
【００１４】
請求項５に記載の発明は、請求項１ないし４のいずれか１に記載の吸収性物品において、前記形状変化部が切り込みであることを特徴とする。
【００１５】
したがって、剛性の比較的強い吸収体であっても、形状変化部において吸収体の形状が男性性器に追随して容易に変化するので、吸収性物品と身体との間の隙間を形成することなく、排泄物の漏れを防止することができる。
【００１６】
請求項６に記載の発明は、請求項１ないし４のいずれか１に記載の吸収性物品において、前記形状変化部がエンボス加工により形成されることを特徴とする。
【００１７】
したがって、吸収体を切断することなく形状変化部を形成するので、形状変化部における排泄物の吸収力を確保しながら、吸収体の形状が男性性器の形状に追随して変化し、より一層排泄物の漏れを防止することができる。
【００１８】
請求項７に記載の発明は、請求項１ないし６のいずれか１に記載の吸収性物品において、前記吸収体が、前記トップシート側に位置する上層吸収体と前記バックシート側に位置する下層吸収体とからなり、前記形状変化部を前記上層吸収体に設けることを特徴とする。
【００１９】
したがって、上層吸収体の形状変化部における排泄物の吸収力が不充分であっても、バックシート側に位置する下層吸収体によって吸収するので、吸収体からバックシート側に排泄物を漏らすことがなく、一層排泄物が漏れ出さない吸収性物品を提供することができる。
【００２０】
【発明の実施の形態】
以下、図面を参照しつつ、この発明の実施の形態につき説明する。
図１は、この発明の吸収性物品の一例としてのパンツ型紙おむつの展開図である。パンツ型紙おむつは、長方形の不織布や多孔質フィルムなどの長辺の中央部分にそれぞれ切り欠き４０を設けた液透過性のトップシート１１と、このトップシート１１と同一形状でポリエチレンなどからなる液不透過性のバックシート１２と、その間に介在する綿状パルプに高分子吸収体ポリマーを散在させた吸収体１３を備える。この吸収体１３は、表面を吸収用のティシュペーパー１８に覆われている。さらに吸収体１３は、トップシート１１側に位置する上層吸収体１４とバックシート１２側に位置する下層吸収体１５とからなる。
【００２１】
この上層吸収体１４の前身頃１６の略中央には、上層吸収体１４の長手方向Ａに沿って溝を形成する一対の切り込み（形状変化部）１７を直線状に設ける。詳しくは、男性が紙おむつを装着したとき、前身頃１６の性器が当接する位置に一定の間隔をもって一定の長さで設ける。この切り込み１７は、さらに詳しくは、図２に示すように、上層吸収体１４の厚さ方向Ｃに上層吸収体１４を切って形成される。
なお、前身頃１６と後身頃１９には、それぞれ、バックシート１２とティッシュ１８との間に、適宜、糸ゴムなどの弾性部材２０を複数幅方向に伸張下で接合し、また、トップシート１１の両側部には、不図示の立体ギャザーが長手方向Ａに沿って適宜配置する。
【００２２】
そして、側端２１Ａと側端２１Ｂ、側端２２Ａと側端２２Ｂとをそれぞれ貼り合わせると、胴回り開口部２３と１対の脚回り開口部２４Ａ，２４Ｂとが形成され、図３に示すようなパンツ型紙おむつとなる。このとき、前身頃１６と後身頃１９は、弾性部材２０によって、ギャザーを形成する。
このように構成されたパンツ型紙おむつを使用するときは、パンツ型の下着を装着するときのように、両方の足をそれぞれ胴回り開口部２３から紙おむつに挿入し、右足を脚回り開口部２４Ａより、また、左足を脚回り開口部２４Ｂよりそれぞれ外部へ出しながら、紙おむつを引き上げ、股間部を底部２５にあてるようにして装着する。
【００２３】
すると、弾性部材２０によって形成されたギャザーによって、装着者の腹部と腰部に紙おむつが追随する。特に、装着者が男性の場合には、性器の陰茎部分が前身頃１６の略中央に設けた１対の切り込み１７，１７の間に位置する。詳しくは、図４に示すように、切り込み１７，１７によって一部分離した上層吸収体１４は、上層吸収体１４の剛性に逆らって弾性部材２０によって腹部２６に押さえつけることなく、陰茎２６Ａの形状に追随する。これによって、紙おむつ全体が身体にフィットする。したがって、トップシート１１と腹部２６との間の隙間が少なくなる。
【００２４】
なお、上述の例では、上層吸収体１４の前身頃１６の略中央に、上層吸収体１４の長手方向Ａに沿って一対の切り込み１７，１７を設けたが、この切り込み１７は、３本以上設けてもよい。このようにすると、上層吸収体１４がより一層滑らかに装着者の腹部２６に追随することができ、トップシート１１と腹部２６との間の隙間を減少させることができ、排泄物の漏れを防止することができる。
【００２５】
また、上述の例では、上層吸収体１４の前身頃１６の略中央に、上層吸収体１４の長手方向Ａに沿って一対の切り込み１７，１７を設けたが、この切り込み１７，１７に代えて、エンボス加工を施してもよい。このようにすると、上層吸収体１４のエンボス加工によって押さえつけられた部分が曲がり易くなり、身体に追随して変化することができる。
【００２６】
さらに、上述の例では、吸収体１３が上層吸収体１４と下層吸収体１５とからなる２層構造であったが、この発明はこれに限定されるものではなく、吸収体１３が１層構造であったり、３層以上の構造であってもよい。
【００２７】
なお、上述の例では、上層吸収体１４にのみ形状変化部としての切り込み１７，１７を設けたが、上層吸収体１４に加えて下層吸収体１５にも形状変化部としての切り込み１７，１７を設けてもよい。また、下層吸収体１５には、切り込み１７，１７に代えて、エンボス加工を施してもよい。
【００２８】
さらに、上述の例では、上層吸収体１４の前身頃１６の略中央に、上層吸収体１４の長手方向Ａに沿って形状変化部としての一対の切り込み１７，１７を直線状に設けたが、図５（ａ）に示すようにＵ字状に連続した１つの曲線として設けてもよいし、図５（ｂ）に示すように円状に閉じた曲線として設けてもよい。もちろん、切り込みに代えて、エンボス加工を施してもよい。
【００２９】
また、上述の例では、紙おむつの吸収体１３が男性の陰茎に追随するように、前身頃１６の略中央に一対の切り込み１７を設けたが、この発明はこれに限定されるものではなく、後身頃１９に複数の形状変化部を設けて、紙おむつの吸収体１３が臀部に追随するようにしてもよい。このようにすると、排泄物の背漏れを防止することができる。
このように、この発明は、吸収体が人体のあらゆる形状に追随することができるようにするものであり、形状変化部を設ける箇所を限定するものではない。
【００３０】
なお、上述の例では、パンツ型紙おむつについて説明したが、テープ型紙おむつ、尿取りパッドなどあらゆる吸収性物品に適用しうる。
【００３１】
【発明の効果】
以上、詳述したように、この発明によれば、吸収性物品を男性が装着したとき、吸収体の前身頃の略中央の性器が当接する部分に形状変化部を設けると、吸収体の形状が男性性器に追随して変化するので、男性性器周辺において吸収性物品が盛り上がり、身体から離れて隙間ができることがない。よって、排泄物が漏れ出さない吸収性物品を提供することができる。
【図面の簡単な説明】
【図１】この発明の吸収性物品の一例としてのパンツ型紙おむつの展開図である。
【図２】図１におけるＸ−Ｘ断面図である。
【図３】本発明のパンツ型紙おむつの斜視図である。
【図４】本パンツ型紙おむつを装着したときの様子を説明するための図である。
【図５】（ａ）は本発明によるパンツ型紙おむつの形状変化部の別の例を示す図であり、（ｂ）は本発明によるパンツ型紙おむつの形状変化部のさらに別の例を示す図である。
【図６】従来のパンツ型紙おむつの展開図である。
【図７】従来のパンツ型紙おむつを装着したときの様子を説明するための図である。
【符号の説明】
１１    トップシート
１２    バックシート
１３    吸収体
１４    上層吸収体
１５    下層吸収体
１６    前身頃
１７    切り込み（形状変化部）
１８    ティシュ
１９    後身頃
２０    弾性部材
２１Ａ，２１Ｂ，２２Ａ，２２Ｂ    側端
２３    胴回り開口部
２４Ａ，２４Ｂ    脚回り開口部
２５    底部
２６    腹部
２６Ａ    陰茎
Ａ    長手方向
Ｃ    厚さ方向
【図１】
2004261331.tif 000003
【図２】
2004261331.tif 000004
【図３】
2004261331.tif 000005
【図４】
2004261331.tif 000006
【図５】
2004261331.tif 000007
【図６】
2004261331.tif 000008
【図７】
2004261331.tif 000009